(57)【要約】【課題】  改質性能を高く維持できる燃料電池モジュールおよび燃料電池装置を提供する。【解決手段】  セルスタック５の上方に改質器６を配置してなるとともに、改質器６が、水を気化して水蒸気を生成する気化部６ａと該気化部６ａで発生した水蒸気を用いて原燃料ガスを改質する改質部６ｂとを相互に対向する位置に具備し、気化部６ａと改質部６ｂとの間から、セルスタック５の下端部まで延びる酸素含有ガス供給部材１２を有するとともに、該酸素含有ガス供給部材１２の改質部６ｂと対向する位置に断熱材１７が設けられていることを特徴とする。【選択図】  図１
2015210873.tif 000002
【特許請求の範囲】
【請求項１】
セルスタックの上方に改質器を配置してなるとともに、該改質器が、水を気化して水蒸気を生成する気化部と該気化部で発生した水蒸気を用いて原燃料ガスを改質する改質部とを相互に対向する位置に具備し、前記気化部と前記改質部との間から、前記セルスタックの下端部まで延びる酸素含有ガス供給部材を有するとともに、該酸素含有ガス供給部材の前記改質部と対向する位置に断熱材が設けられていることを特徴とする燃料電池モジュール。
【請求項２】
セルスタックの上方に改質器を配置してなるとともに、該改質器が、水を気化して水蒸気を生成する気化部と該気化部で発生した水蒸気を用いて原燃料ガスを改質する改質部とを相互に対向する位置に具備し、前記気化部と前記改質部との間から、前記セルスタックの下端部まで延びる酸素含有ガス供給部材を有するとともに、該酸素含有ガス供給部材と前記改質部との間隔は、前記酸素含有ガス供給板と前記気化部との間隔よりも広いことを特徴とする燃料電池モジュール。
【請求項３】
セルスタックの上方に改質器を配置してなるとともに、該改質器が、水を気化して水蒸気を生成する気化部と該気化部で発生した水蒸気を用いて原燃料ガスを改質する改質部とを相互に対向する位置に具備し、前記気化部と前記改質部との間から、前記セルスタックの下端部まで延びる酸素含有ガス供給部材を有するとともに、前記改質器と前記セルスタックの上端との間は、前記セルスタックからの排ガスが燃焼する燃焼領域とされており、前記酸素含有ガス供給部材の前記燃焼領域と対向する位置に断熱材が設けられていることを特徴とする燃料電池モジュール。
【請求項４】
前記セルスタックの上下方向における中央部に位置する前記酸素含有ガス供給部材の部分に、熱交換促進部が設けられていることを特徴とする請求項１乃至３のうちいずれかに記載の燃料電池モジュール。
【請求項５】
請求項１乃至４のうちいずれかに記載の燃料電池モジュールと、該燃料電池モジュールを作動させるための補機とを、外装ケース内に収納してなることを特徴とする燃料電池装置。
【発明の詳細な説明】
【技術分野】
【０００１】
本発明は、セルスタックの上方に改質器を配置してなる燃料電池モジュールおよび燃料電池装置に関する。
【背景技術】
【０００２】
近年、次世代エネルギーとして、燃料電池モジュールが種々提案されている。このような燃料電池モジュールとしては、収納容器内に、複数の燃料電池セルを電気的に直列に接続してなるセルスタック装置を収納したものが知られている（例えば、特許文献１参照）。
【０００３】
このセルスタック装置は、複数のセルスタックの上方に合金製の改質器を配置してなるとともに、該改質器がＵ字状をなしており、水を気化して水蒸気を生成する気化部と、該気化部で発生した水蒸気を用いて原燃料ガスを水蒸気改質する改質部とを具備している。そして、セルスタックの上端と改質器との間は、セルスタックからの排ガスが燃焼する燃焼領域とされており、セルスタックに酸素含有ガスを供給するための合金製の酸素含有ガス供給板が、対向する位置に配置された気化部と改質部との間から、セルスタックの下端部まで延設されている。
【０００４】
改質器の一端部に位置する気化部には、原燃料ガス供給管および水供給管が接続され、気化部で発生した水蒸気と原燃料ガスとが混合されて、改質器の他端部に位置する改質部に供給され、この改質部にて原燃料ガスが水蒸気改質されるように構成されている。
【０００５】
一方、酸素含有ガス供給板の燃焼領域に対応する部分にフィン等を配置し、燃焼領域の熱を酸素含有ガス供給板内の酸素含有ガスに伝達し、セルスタックの下端部に高温の酸素含有ガスを供給し、セルスタックの下端部の温度を高くすることも行われている（例えば、特許文献２参照）。
【先行技術文献】
【特許文献】
【０００６】
【特許文献１】特開２００７−２０７４４６号公報
【特許文献２】特開２０１１−１２９４８９号公報
【発明の概要】
【発明が解決しようとする課題】
【０００７】
しかしながら、特許文献１、２の燃料電池モジュールでは、改質部からの熱、または燃焼領域における熱が、酸素含有ガス供給板内の酸素含有ガスに伝導し、改質部における熱量が低下し、改質部の温度が低下する傾向にあり、これにより改質性能が低下する傾向にあった。特に、近年においては、燃料電池モジュールの燃料利用率向上が図られており、セルスタックから排出される排ガス量が少なくなり、燃焼領域における熱量が低下する傾向にあるため、改質部を加熱する熱量が低下し、改質性能が低下する傾向にあった。
【０００８】
本発明は、改質性能を高く維持できる燃料電池モジュールおよび燃料電池装置を提供することを目的とする。
【課題を解決するための手段】
【０００９】
本発明の燃料電池モジュールは、セルスタックの上方に改質器を配置してなるとともに、該改質器が、水を気化して水蒸気を生成する気化部と該気化部で発生した水蒸気を用い
て原燃料ガスを改質する改質部とを相互に対向する位置に具備し、前記気化部と前記改質部との間から、前記セルスタックの下端部まで延びる酸素含有ガス供給部材を有するとともに、該酸素含有ガス供給部材の前記改質部と対向する位置に断熱材が設けられていることを特徴とする。
【００１０】
また、本発明の燃料電池モジュールは、セルスタックの上方に改質器を配置してなるとともに、該改質器が、水を気化して水蒸気を生成する気化部と該気化部で発生した水蒸気を用いて原燃料ガスを改質する改質部とを相互に対向する位置に具備し、前記気化部と前記改質部との間から、前記セルスタックの下端部まで延びる酸素含有ガス供給部材を有するとともに、該酸素含有ガス供給部材と前記改質部との間隔は、前記酸素含有ガス供給板と前記気化部との間隔よりも広いことを特徴とする。
【００１１】
さらに、本発明の燃料電池モジュールは、セルスタックの上方に改質器を配置してなるとともに、該改質器が、水を気化して水蒸気を生成する気化部と該気化部で発生した水蒸気を用いて原燃料ガスを改質する改質部とを相互に対向する位置に具備し、前記気化部と前記改質部との間から、前記セルスタックの下端部まで延びる酸素含有ガス供給部材を有するとともに、前記改質器と前記セルスタックの上端との間は、前記セルスタックからの排ガスが燃焼する燃焼領域とされており、前記酸素含有ガス供給部材の前記燃焼領域と対向する位置に断熱材が設けられていることを特徴とする。
【００１２】
本発明の燃料電池装置は、上記の燃料電池モジュールと、該燃料電池モジュールを作動させるための補機とを、外装ケース内に収納してなることを特徴とする。
【発明の効果】
【００１３】
本発明の燃料電池モジュールは、改質部の温度を高く維持して、改質部における改質性能を高く維持できる。これにより、発電性能が優れた電料電池モジュールおよび燃料電池装置を提供できる。
【図面の簡単な説明】
【００１４】
【図１】燃料電池モジュールの一形態を示す縦断面図である。
【図２】（ａ）は２個のセルスタックを有するセルスタック装置を示す平面図、（ｂ）はマニホールドに２個のセルスタックを設け、２個のセルスタック上方に改質器を設けた状態を示す斜視図である。
【図３】（ａ）は改質器の斜視図、（ｂ）は酸素含有ガス供給部材の改質部側に断熱材を設けた状態を示す平面図、（ｃ）は、酸素含有ガス供給部材の改質部側であって、気化部に対応する位置にのみ断熱材を設けた状態を示す平面図である。
【図４】（ａ）（ｂ）は燃料電池モジュールの他の形態を示す縦断面図である。
【図５】（ａ）は燃焼領域に対応する酸素含有ガス供給部材の位置に断熱材を設けた燃料電池モジュールのさらに他の形態を示す縦断面図、（ｂ）は（ａ）の酸素含有ガス供給部材およびその近傍を示す平面図、（ｃ）はセルスタックの上下方向中央部の側方における酸素含有ガス供給部材に熱交換促進部を設けた燃料電池モジュールのさらに他の形態を示す縦断面図である。
【図６】燃料電池装置を示す斜視図である。
【図７】４個のセルスタックを有する燃料電池モジュールを示す縦断面図である。
【発明を実施するための形態】
【００１５】
図１は、燃料電池モジュール（以下、モジュールという場合がある）の一形態を示す縦断面図であり、図２はセルスタック装置を示す図である。なお、異なる図中の同一の構成要素については、同一の符号を付与するものとする。
【００１６】
モジュール１は、直方体状の収納容器２の内部に、内部に燃料ガス流路を有する燃料電池セル３を上下方向に立設させた状態で一列に配列し、隣接する燃料電池セル３間に集電部材（図示せず）を介して電気的に直列に接続してなる２個のセルスタック５を収納して構成されている。
【００１７】
上下方向に延びる燃料電池セル３の下端部はガラスシール材等の絶縁性接合材（図示せず）でマニホールド４に固定されている。一個のマニホールド４には、２個のセルスタック５が固定されており、２個のセルスタック５のそれぞれの両端には、図２（ａ）に示すように、引出部５ａが接続され、一方側の引出部５ａ同士は連結部材５ｂで連結され、２個のセルスタック５が電気的に直列に接続されている。
【００１８】
また、図１、２においては、燃料電池セル３の内部に燃料電池セル３の長さ方向ｙに設けられた燃料ガス流路を燃料ガスが流れる中空平板型で、支持基板の表面に、燃料側電極、固体電解質及び酸素側電極を順に設けてなる固体酸化物形の燃料電池セル３を例示している。
【００１９】
また、燃料電池セル３にて使用する水素含有ガスを得るために、図３に示すように、天然ガスや灯油等の燃料を改質して燃料ガス（水素含有ガス）を生成するためのＵ字状で合金製の改質器６が、２個のセルスタック５の上方に配置されている。そして、図２（ｂ）に示すように、改質器６で生成された燃料ガス（改質ガス）は、改質ガス導出管７によりマニホールド４に供給され、マニホールド４を介して燃料電池セル３の内部に設けられた燃料ガス流路に供給される。これにより、セルスタック装置８が構成されている。すなわち、セルスタック装置８は、図１に示したように、マニホールド４と、マニホールド４に固定されたセルスタック５と、２個のセルスタック５の上方に、セルスタック５の上端と所定間隔をおいて配置された１個の改質器６とを具備して構成されている。
【００２０】
燃料電池セル３の燃料ガス流路に供給され、発電に使用されなかった余剰の燃料ガス（排ガス）は、燃料電池セル３の上方に放出される。余剰の燃料ガスは、燃料電池セル３の外部に供給された酸素含有ガス（空気）と反応させ燃焼させることができる。セルスタック５の上端と改質器６との間の空間は、燃焼領域Ｆとされている。燃焼領域Ｆを、図１に一点鎖線で記載した。
【００２１】
改質器６は、図３に示すように、水を気化して水蒸気を生成する気化部６ａと該気化部６ａで発生した水蒸気を用いて原燃料ガスを水蒸気改質する改質部６ｂとを具備するＵ字状とされており、気化部６ａと改質部６ｂとは、空間を介して相互に対向して位置している。
【００２２】
改質器６は往路１０ａと復路１０ｂを有しており、気化部６ａは往路１０ａの上流側に、改質部６ｂは往路１０ａの下流側と復路１０ｂに設けられている。なお、改質部６ｂを往路１０ｂだけに設けても良く、気化部６ａを往路１０ａおよび復路１０ｂの一部に設けても良い。改質器６は、気化部６ａと改質部６ｂとが空間を介して対向して位置する部分を有していれば良い。
【００２３】
往路１０ａの上流側端には、水を供給するための水供給管１３および原燃料ガスを供給するための原燃料ガス供給管１５が接続されており、復路１０ｂの下流側端には、改質された改質ガス（燃料ガス）を導出するための改質ガス導出管７が接続されている。水供給管１３、原燃料ガス供給管１５および改質ガス導出管７は、改質器６の一方側に接続され、同じ方向に引き出されている。
【００２４】
往路１０ａと復路１０ｂの下方には、図３（ｂ）に一点鎖線で示すように、２個のセル
スタック５がそれぞれ位置しており、セルスタック５を構成する燃料電池セル３の配列方向ｘに沿って、往路１０ａおよび復路１０ｂが延設されている。
【００２５】
改質器６は燃料電池セル３の反応熱および燃料電池セル３からの余剰の燃料ガスの燃焼熱で加熱されるため、気化部６ａに供給された水は水蒸気となり、この水蒸気と原燃料ガスとが混合され、改質部６ｂを流れる間に改質され、水素を含む改質ガス（燃料ガス）が生成され、改質ガス導出管７からマニホールド４に導出される。
【００２６】
往路１０ａと復路１０ｂは横断面が矩形状の合金製管体から構成されている。往路１０ａを構成する管体の側面と復路１０ｂを構成する管体の側面との間には、空間が形成されており、この空間を、図１に示したように、中空板状で合金製の酸素含有ガス供給部材１２が上下方向に挿通し、その先端がセルスタック５間で、かつセルスタック５の下端部に位置している。酸素含有ガス供給部材１２と、往路１０ａを構成する管体の側面、復路１０ｂを構成する管体の側面との間には、空間が形成されている。
【００２７】
改質器６の往路１０ａ内の、燃料電池セル３の配列方向ｘ中央部に仕切板６ｃが設けられており、気化部６ａと改質部６ｂとを仕切っている。気化部６ａ内には、気化を促進するためセラミックボールが収納されており、仕切板６ｃは水蒸気は通過するが、セラミックボールは通過しないように形成されている。水供給管１３は、セルスタック５の燃料電池セル３の配列方向ｘ中央部の上方における気化部６ａの位置に水を供給するように構成されている。燃料電池セル３の配列方向ｘ中央部は温度が高くなり易いため、気化を促進できる。改質部６ｂには改質触媒が収納されている。仕切板６ｃは、水蒸気、原燃料ガスは通過できるが、改質触媒は通過できないように構成されている。
【００２８】
燃料電池モジュール１は、図１に示したように、収納容器２の内部にセルスタック装置８を収納してなるもので、セルスタック５の配列方向（燃料電池セル３の配列方向ｘと直交する方向）の両側における収納容器２の側壁には、外側から酸素含有ガス導入路２１、排ガス排出路２３が形成されている。酸素含有ガス導入路２１は、収納容器２の底部から側部を介して上部まで形成され、酸素含有ガス供給部材１２に酸素含有ガスを供給するように構成されている。
【００２９】
一方、排ガス排出路２３は、収納容器２の側部から底部まで形成され、燃料電池セル３の上端からの排ガス（燃焼ガス）が、往路１０ａを構成する管体および復路１０ｂを構成する管体と、酸素含有ガス供給部材１２との間に形成された空間を通過し、排ガス排出路２３により、収納容器２の側部を介して底部の排出口から排出されるように構成されている。酸素含有ガスが酸素含有ガス導入路２１を流れる間に、排ガス排出路２３を流れる排ガスにより加熱される。
【００３０】
そして、本実施形態では、中空板状の酸素含有ガス供給部材１２が、気化部６ａと改質部６ｂとの間の空間から、セルスタック５の下端部まで延びており、図１に示すように、酸素含有ガス供給部材１２の改質部６ｂと対向する位置にだけ断熱材１７が設けられている。この断熱材１７は、復路１０ｂの改質部６ｂの側面に対面する酸素含有ガス供給部材１２の外面の位置に、図３（ｂ）に示すように、酸素含有ガス供給部材１２の幅方向（配列方向ｘ）全面に配置されている。断熱材１７は、改質部６ｂの側面に対向する位置に、この側面よりも少し広く形成されていることが望ましい。
【００３１】
断熱材１７は、例えば、アルミナ系、シリカ系、アルミナシリカ系材料から構成されている。
【００３２】
以上のようなセルスタック装置では、酸素含有ガス供給部材１２の改質部６ｂと対向す
る位置に断熱材１７が設けられているため、改質部６ｂからの熱が酸素含有ガス供給部材１２内の酸素含有ガスに伝達されることを抑制し、改質部６ｂの温度を高く維持して、改質部６ｂにおける改質性能を高く維持できる。
【００３３】
なお、図３（ｃ）に示すように、断熱材１７が、酸素含有ガス供給部材１２の気化部６ａの形成位置に対応する位置にのみ設けられていても良い。すなわち、酸素含有ガス供給部材１２が、気化部６ａと改質部６ｂとで挟まれた部分であって、酸素含有ガス供給部材１２の改質部６ｂ側の面に断熱材１７が設けられていても良い。
【００３４】
これは、気化部６ａの温度は低いため、改質部６ｂからの熱が酸素含有ガス供給部材１２を介して、気化部６ａに伝達され易い傾向にあるからである。
【００３５】
図４（ａ）は、燃料電池モジュールの他の形態を示すもので、この形態では、酸素含有ガス供給板１２と改質部６ｂとの間隔は、酸素含有ガス供給部材１２と気化部６ａとの間隔よりも広い。
【００３６】
すなわち、酸素含有ガス供給部材１２の復路１０ｂを構成する管体の側面と対面する部分には、凹部１４が形成されており、酸素含有ガス供給部材１２内の酸素含有ガスの流路と改質部６ｂとの距離は、気化部６ａと酸素含有ガス供給部材１２内の酸素含有ガスの流路との距離よりも離れている。言い換えれば、酸素含有ガス供給部材１２の外面と復路１０ｂを構成する管体の側面との距離は、酸素含有ガス供給部材１２の外面と往路１０ａを構成する管体の側面との距離よりも離れている。
【００３７】
この凹部１４は、上記形態の断熱材１７の形成位置と同じ位置に形成されている。すなわち、復路１０ｂの改質部６ｂの側面に対面する酸素含有ガス供給部材１２の外面の位置に、酸素含有ガス供給部材１２の幅方向（配列方向ｘ）全面に形成されている。凹部１４は、気化部６ａと改質部６ｂとで挟まれ部分であって、酸素含有ガス供給部材１２の改質部６ｂ側の面に設けられていても良い。
【００３８】
このような燃料電池モジュールでは、改質部６ｂからの熱が酸素含有ガス供給部材１２内の酸素含有ガスに伝達されることを抑制し、改質部６ｂの温度を高く維持して、改質部６ｂにおける改質性能を高く維持できる。なお、凹部１４を設けることなく、酸素含有ガス供給部材１２自体を気化部６ａ側にずらして配置しても良い。
【００３９】
さらに、図４（ａ）では、酸素含有ガス供給部材１２の改質部６ｂと対向する位置に凹部１４を設けたが、さらに、酸素含有ガス供給部材１２の燃焼領域Ｆと対向する位置にまで凹部を設けることにより、改質部６ｂに供給される熱量をさらに増加し、改質部６ｂの温度を高く維持し、改質部６ｂにおける改質性能を高く維持できる。
【００４０】
図４（ｂ）は、燃料電池モジュールのさらに他の形態を示すもので、この形態では、酸素含有ガス供給板１２内の改質部６ｂ側の面に断熱材１７が設けられている。この断熱材１７は、酸素含有ガス供給板１２内に設けられる点を除き、図１、図３の形態の断熱材１７と同じ位置に設けられている。
【００４１】
これにより、改質部６ｂからの熱伝達が断熱材１７で抑制されるとともに、酸素含有ガス供給部材１２内の酸素含有ガスの流路と改質部６ｂとの距離は、気化部６ａと酸素含有ガス供給部材１２内の酸素含有ガスの流路との距離よりも離れているため、改質部６ｂから酸素含有ガス供給部材１２に伝達される熱量を低減し、改質部６ｂの温度を高く維持し、改質部６ｂの改質性能を高く維持できる。
【００４２】
図５（ａ）は、燃料電池モジュールのさらに他の形態を示すもので、この形態では、酸素含有ガス供給部材１２の改質部６ｂ側の面に、かつ燃焼領域Ｆと対向する位置に、断熱材１７が設けられている。
【００４３】
この断熱材１７は、燃焼領域Ｆと対面する位置に、図５（ｂ）に示すように、板状の酸素含有ガス供給部材１２の改質部６ｂ側の幅方向全面に配置されている。
【００４４】
このような燃料電池モジュールでは、燃焼領域Ｆからの熱が酸素含有ガス供給部材１２内の酸素含有ガスに伝達されることを抑制し、改質部６ｂに供給される熱量を増加し、改質部６ｂの温度を高く維持し、改質部６ｂにおける改質性能を高く維持できる。なお、酸素含有ガス供給部材１２の燃焼領域Ｆと対向する位置の両面、すなわち、改質部６ｂ側の面のみならず、気化部６ａ側の面に断熱材１７を設けても良い。
【００４５】
図５（ｃ）は、燃料電池モジュールのさらに他の形態を示すもので、この形態では、図１に示すように、酸素含有ガス供給部材１２の改質部６ｂと対面する位置に断熱材１７が設けられているとともに、セルスタック５の上下方向（長さ方向ｙ）の中央部における酸素含有ガス供給部材１２の位置に熱交換促進部１２ａが設けられている。熱交換促進部１２ａは、セルスタック５の上下端部を除く、セルスタック５の上下方向の中央部にのみ設けられている。
【００４６】
この熱交換促進部１２ａは、例えば、酸素含有ガス供給部材１２の外面や内面にフィンを設けたり、酸素含有ガス供給部材１２の外面に凹凸を形成し、表面積を増加させ、セルスタック５の熱を酸素含有ガス供給部材１２内の酸素含有ガスに伝達し易いように構成されている。
【００４７】
このような燃料電池モジュールでは、酸素含有ガス供給部材１２の改質部６ｂと対面する位置に断熱材１７を設けることで、改質部６ｂの温度を高く維持して、改質部６ｂにおける改質性能を高く維持できるとともに、温度の高い、セルスタック５の上下方向の中央部の熱を熱交換促進部１２ａを介して酸素含有ガス供給部材１２内の酸素含有ガスに伝達し、セルスタック５の上下方向の中央部の温度を低下させるとともに、セルスタック５の下端部の温度を高くでき、セルスタック５の上下方向における均熱化を図ることができる。
【００４８】
なお、図５（ｃ）において、改質部６ｂにおける改質性能を高く維持するには、図１のみならず、図３〜図５のような構造を採用しても良い。
【００４９】
図６は、外装ケース内に燃料電池モジュール１と、燃料電池モジュール１を動作させるための補機とを収納してなる燃料電池装置の一例を示す分解斜視図である。なお、図６においては一部構成を省略して示している。
【００５０】
図６に示す燃料電池装置は、支柱５４と外装板５５とから構成される外装ケース内を仕切板５６により上下に区画し、その上方側を上述した燃料電池モジュール１を収納するモジュール収納室５７とし、下方側を燃料電池モジュール１を動作させるための補機類を収納する補機収納室５８として構成されている。なお、補機収納室５８に収納する補機類は省略して示している。
【００５１】
また、仕切板５６には、補機収納室５８の空気をモジュール収納室５７側に流すための空気流通口５９が設けられており、モジュール収納室５７を構成する外装板５５の一部に、モジュール収納室５７内の空気を排気するための排気口６０が設けられている。
【００５２】
このような燃料電池装置では、上述したようなモジュール１を外装ケース内に収納することにより、発電効率を向上した燃料電池装置とすることができる。
【００５３】
以上、本発明について詳細に説明したが、本発明は上述の実施の形態に限定されるものではなく、本発明の要旨を逸脱しない範囲内において、種々の変更、改良等が可能である。
【００５４】
例えば、燃料電池セル３の形状としては、平板型、円筒型、中空平板型等のいずれであっても良い。燃料電池セル３（セルスタック５）の発電を効率よく行なう上で、中空平板型の燃料電池セルとすることが好ましい。
【００５５】
また、上記形態では、２個のセルスタック５の上方に１個の改質器６を配置した形態について説明したが、例えば、３個以上のセルスタックの上方に１個の改質器を配置しても良い。
【００５６】
さらに、１個のマニホールド４に２個のセルスタック５を配置した形態について説明したが、１個のマニホールドに１個のセルスタックを配置しても良く、また、１個のマニホールドに３個以上のセルスタックを配置しても良い。
【００５７】
また、上記形態では、燃料電池モジュール１に１個の改質器６を設けたが、２個以上設けても良い。図７に、２個のセルスタック５の上方に１個の改質器を設けたセルスタック装置を２個配置した燃料電池モジュールを示した。この図７において、２個の改質器６は、収納容器２の中央側に、気化部６ａが位置するように配置することが望ましい。これにより、温度が低下し易い気化部６ａを、収納容器２中央部に配置し、収納容器２内の均熱化を図ることができる。
【符号の説明】
【００５８】
１：燃料電池モジュール
２：収納容器
３：燃料電池セル
５：セルスタック
６：改質器
６ａ：気化部
６ｂ：改質部
７：改質ガス導出管
１２：酸素含有ガス供給板
１２ａ：熱交換促進部
１３：水供給管
１５：原燃料ガス供給管
１７：断熱材
Ｆ：燃焼領域
【図１】
2015210873.tif 000003
【図２】
2015210873.tif 000004
【図３】
2015210873.tif 000005
【図４】
2015210873.tif 000006
【図５】
2015210873.tif 000007
【図６】
2015210873.tif 000008
【図７】
2015210873.tif 000009